(57)【要約】【課題】空間を互いに目的の異なる二つの空間に区画することができるとともに、両空間を接続する窓口となる位置を明示することができる仕切壁装置を、低コストかつ容易に設置する。【解決手段】通常の営業時間内における受付カウンターを構成する固定仕切３０を備えた仕切壁装置１０に、通常の営業時間外において従業員が業務を行う執務空間１００と、顧客が立ち入る顧客側空間２００とを仕切るための可動仕切４０を備えることで、特に大がかりなシャッター等を設けることなく、低コストかつ短期間で執務空間１００と顧客側空間２００との区画を行う。仕切壁装置１０において、受付スペースの部分には固定仕切３０を欠落させ、さらに受付用天板５０を設けることで、受付スペースの位置を容易かつ明確に明示する。【選択図】図１
2010248866.tif 000002
【特許請求の範囲】
【請求項１】
空間を仕切る仕切壁装置であって、
前記空間の床に沿った方向に連続して設けられ、一定の高さを有した仕切壁本体と、
前記仕切壁本体の上部から上方に向けて延出し、前記仕切壁本体に対して固定状態に設けられた固定仕切と、
前記仕切壁本体の内部に収容された状態から、前記仕切壁本体から上方に向けて、利用者の目線を遮る位置よりも高い位置まで突出可能とされた可動仕切と、を備え、
前記可動仕切は前記仕切壁本体の連続方向の全長にわたって設けられ、
前記固定仕切は、前記仕切壁本体の連続方向において、その一部に欠落して設けられていることを特徴とする仕切壁装置。
【請求項２】
前記仕切壁装置は、複数枚の仕切パネルユニットを、前記仕切壁装置が連続する方向に連結することで形成され、
前記仕切パネルユニットは、当該仕切パネルユニットの前記仕切壁本体の全長にわたって前記固定仕切が設けられたものと、当該仕切パネルユニットの前記仕切壁本体の一部または全部に前記固定仕切が欠落したものとが組み合わせて用いられていることを特徴とする請求項１に記載の仕切壁装置。
【請求項３】
前記固定仕切の欠落部に、前記仕切壁本体の上面から、前記仕切壁装置で仕切られる一方の側の前記空間に向けて突出する受付用天板が設けられていることを特徴とする請求項１または２に記載の仕切壁装置。
【請求項４】
前記仕切壁装置が連続する方向の端部において、前記固定仕切が、前記仕切壁装置が連続する方向に直交して前記可動仕切側に折曲されていることを特徴とする請求項１から３のいずれかに記載の仕切壁装置。  
【請求項５】
前記可動仕切を前記仕切壁本体内に収容した状態で、前記仕切壁装置によって仕切られる一方の前記空間と他方の前記空間とで、前記固定仕切の前記欠落部を介してやりとりを行うことで業務を行う使用形態と、
前記可動仕切を前記仕切壁本体から上方に突出させた状態で、前記仕切壁装置によって仕切られる一方の前記空間のみで業務を行う使用形態と、
を提供することを特徴とする請求項１から４のいずれかに記載の仕切壁装置。
【請求項６】
前記固定仕切は、前記可動仕切に対し、他方の前記空間側に設置されることを特徴とする請求項５に記載の仕切壁装置。
【請求項７】
前記固定仕切は、透光性を有した材料で形成されていることを特徴とする請求項１から６のいずれかに記載の仕切壁装置。
【発明の詳細な説明】
【技術分野】
【０００１】
本発明は、オフィスや銀行の受付コーナ等において、従業員用の執務空間と顧客側空間とを区画するのに使用される仕切壁装置に関する。
【背景技術】
【０００２】
オフィスや金融機関において顧客が訪れる受付コーナ、各種販売窓口等においては、業務空間が、従業員が業務を行う執務空間と、訪れた顧客が立ち入る顧客側空間とに区切られている。このため、執務空間と顧客側空間との間に、互いの視線を遮らない高さのカウンター等の仕切壁が設置されているのが一般的である。
【０００３】
さらに、こうした受付コーナでの業務は、顧客と対応しながら従業員が業務を行う時間帯（受付時間）と、顧客の受付を行わず、従業員のみが執務を行う時間帯（非受付時間）とで、従業員の行なう執務内容が異なる場合が多い。
例えば、金融機関の場合、受付時間内においては、顧客が従業員と対面して各種の手続きを行うとともに、ＡＴＭコーナにおいては、顧客はＡＴＭ機を自ら操作して手続き等を行うことができるようになっている。一方、非受付時間においては、執務空間は顧客側から見れば閉鎖され、執務空間内では従業員のみが業務を行い、顧客は顧客側空間に設置されたＡＴＭコーナでＡＴＭ機の操作を行えるようになっている。
【０００４】
非受付時間において、執務空間を閉鎖するのに、従来は、カウンター等の仕切壁とは別にシャッターを設け、このシャッターを閉じることで、執務空間とＡＴＭコーナ等の顧客側空間とを区画していた（例えば、特許文献１参照。）。
【先行技術文献】
【特許文献】
【０００５】
【特許文献１】特開２００６−１１８１３７号公報
【特許文献２】特開２００８−１６１５３８号公報
【発明の概要】
【発明が解決しようとする課題】
【０００６】
しかしながら、シャッターを設ける場合は、受付カウンターとは別にシャッターを設置する必要があるため、必要コストが大きくなる。さらに、シャッターを設置する際には、壁面や床、天井等に手を加えての工事が必要であり、設置コストと、設置工事期間とを要すると言う問題がある。また、このようなシャッターは、一度設置してしまうと、移動や撤去が困難であり、レイアウト変更を行いにくいというデメリットもある。
【０００７】
上記したような問題に対し、例えば特許文献２に開示されたように、一定高さの仕切壁の上部に、パーティションを昇降可能に設けた技術を適用することが考えられる。
しかし、実際のオフィスや店舗に設けられる仕切壁は、受付カウンターを兼ねるため、仕切壁には、顧客の受付窓口を示すための開口部等を設ける必要がある。しかしながら、特許文献２に開示されたパーティションを複数連続して設けたとしても、このような開口部を設けることができず、これでは顧客に受付窓口の位置を明示できないという問題がある。
【０００８】
また、仕切壁の上面が書類や物品の受け渡し、書類の記入等を行うための受付面となるため、仕切壁最上部までを非透光性素材で構成しなければならず、使用者に圧迫感を与えてしまう。
【０００９】
本発明は、上述した事情に鑑みてなされたものであって、空間を互いに目的の異なる二つの空間に区画することができるとともに、両空間を接続する窓口となる位置を明示し、しかも低コストで容易に設置することのできる仕切壁装置を提供することを目的とする。
【課題を解決するための手段】
【００１０】
本発明は、上記課題を解決するため、以下の手段を採用する。
すなわち、本発明は、空間を仕切る仕切壁装置であって、空間の床に沿った方向に連続して設けられ、一定の高さを有した仕切壁本体と、仕切壁本体の上部から上方に向けて延出し、仕切壁本体に対して固定状態に設けられた固定仕切と、仕切壁本体の内部に収容された状態から、仕切壁本体から上方に向けて、利用者の目線を遮る位置よりも高い位置まで突出可能とされた可動仕切と、を備え、可動仕切は仕切壁本体の連続方向の全長にわたって設けられ、固定仕切は、仕切壁本体の連続方向において、その一部に欠落して設けられていることを特徴とする。
このような仕切壁装置においては、固定仕切が、仕切壁本体の連続方向において、その一部に欠落して設けられているので、この欠落部を、仕切装置の一方の空間と他方の空間とでやり取りを行う受付部分として設けることで、受付部分を顧客に対して明示することができる。
このような仕切装置においては、可動仕切を仕切壁本体内に収容した状態では、仕切壁装置によって仕切られる一方の空間と他方の空間とで、固定仕切の欠落部を介してやりとりを行うことで業務を行う使用形態とすることができ、また、可動仕切を仕切壁本体から上方に突出させた状態では、仕切壁装置によって仕切られる一方の空間のみで業務を行う使用形態とすることができる。
【００１１】
また、仕切壁装置は、複数枚の仕切パネルユニットを、仕切壁装置が連続する方向に連結することで形成することができる。つまり、少なくとも、仕切壁本体と、可動仕切とを、仕切パネルユニットの長さに応じて区切ることでユニット化する。その場合、仕切パネルユニットは、仕切パネルユニットの全長にわたって固定仕切が設けられたものと、仕切パネルユニットの一部または全部に固定仕切が欠落したものと、を組み合わせて、仕切壁装置を形成する。
【００１２】
固定仕切の欠落部には、仕切壁本体の上面から、仕切壁装置で仕切られる一方の側の空間に向けて突出する受付用天板を設けることができる。
これにより、仕切壁を挟んで対面する顧客と従業員との間で、受付用天板上において受付作業を行うことができる。
【００１３】
仕切壁装置が連続する方向の端部において、固定仕切を、仕切壁装置が連続する方向に直交して可動仕切側に折曲することもできる。これにより、可動仕切の端部を固定仕切で覆うことができる。
【００１４】
固定仕切は、可動仕切に対し、いずれの空間側に設置しても良いが、可動仕切を突出させた状態における顧客側空間である、他方の空間側に設置するのが好ましい。これにより、顧客が立ち入る一方の空間側から見たときに、固定仕切によって、可動仕切を仕切壁本体の上部から出没させるための開口部を隠すことができる。また、可動仕切を突出させた状態では、業務を行う側である他方の空間側に固定仕切が存在しないことから、他方の空間側のスペースを広く確保できるからである。
【００１５】
固定仕切は、透光性を有した材料で形成するのが好ましい。これにより、可動仕切を仕切壁本体内に収納した状態において、双方の空間を仕切る仕切壁は、仕切壁本体と固定仕切とから構成される。このとき、上部の固定仕切が透光性を有することで、圧迫感を抑えることができる。
【発明の効果】
【００１６】
本発明によれば、固定仕切と可動仕切とを備え、空間を互いに目的の異なる二つの空間に区画することができるとともに、両空間を接続する窓口となる位置を明示することのできる仕切壁装置を、低コストかつ容易に設置することができる。
しかも、仕切壁本体の連続方向において、固定仕切を、その一部に欠落させて設けたので、受付窓口の位置を明示して執務空間と顧客側空間とを区画することができる。
また、固定仕切を、透光性を有した材料で形成することで、可動仕切を下げた状態において仕切壁装置による圧迫感を抑えることができる。
【図面の簡単な説明】
【００１７】
【図１】本発明に係る仕切壁装置の使用形態例を示す斜視図である。
【図２】仕切壁装置の平面図および立面図である。
【図３】仕切壁装置を構成する仕切パネルユニットを示す立面図である。
【図４】仕切壁装置の断面図である。
【図５】仕切壁装置の可動仕切と昇降機構との連結部分の詳細を示す断面図である。
【発明を実施するための形態】
【００１８】
以下、添付図面を参照して、本発明による仕切壁装置を実施するための最良の形態を説明する。しかし、本発明はこれらの実施例のみに限定されるものではない。
【００１９】
図１は、オフィスや金融機関等の店舗、各種販売窓口に仕切壁装置１０を設置した状態を示す斜視図である。
図１に示すように、仕切壁装置１０は、業務空間を、従業員が業務を行う執務空間１００と、顧客が立ち入る顧客側空間２００とを仕切るように設けられている。
この仕切壁装置１０は、一定の高さを有した仕切壁本体２０と、この仕切壁本体２０の上面から上方に突出した固定仕切３０と、仕切壁本体２０の上面から上方に向けて出没可能な可動仕切４０と、を備えている。
【００２０】
図１および図２に示すように、この仕切壁装置１０においては、固定仕切３０が一部分で欠落しており、その欠落部Ｍには、仕切壁本体２０の上端部から顧客側空間２００側に向けて突出する受付用天板５０が設けられている。
【００２１】
また、図２（ａ）に示したように、仕切壁装置１０が連続する方向の両端部においては、固定仕切３０を、仕切壁装置１０が連続する方向に直交して、可動仕切４０側に向けて伸びる側部パネル３２を有する構成とすることもできる。
【００２２】
このような仕切壁装置１０は、複数の仕切パネルユニット６０を連続させて互いに連結することによって構成されている。各仕切パネルユニット６０は、複数の仕切パネルユニット６０が連続する方向に一定長を有している。図１の例では、仕切パネルユニット６０を３個連結することで仕切壁装置１０が形成されているが、その連結数は何ら限るものではない。
【００２３】
図２および図３に示すように、各仕切パネルユニット６０は、仕切壁本体２０を構成するベースユニット２１と、固定仕切３０を構成する固定パネル３１と、可動仕切４０を構成する昇降パネル４１と、昇降パネル４１を昇降させる昇降機構７０と、を備えて構成されている。
【００２４】
図４に示すように、各仕切パネルユニット６０において、仕切壁本体２０を構成するベースユニット２１は、仕切壁装置１０の厚さ方向（仕切壁装置１０が連続する方向に直交する水平方向）に一定間隔を隔てて対向した下部パネル２２、２２が、フレーム２３の両面に取り付けられることで設けられている。
ベースユニット２１は、アンカーボルト２４等の適宜固定手段により、躯体あるいは床Ｆに固定される
【００２５】
フレーム２３により中空構造とされたベースユニット２１内には、可動仕切４０を仕切壁本体２０の上面から上方に向けて出没させるための昇降機構７０が収容されている。
図３に示したように、昇降機構７０は、パンタグラフ状に複数連結されたリンク部材７１、７１と、リンク部材７１、７１を上下方向に伸縮させる駆動部材７２と、から構成されている。
リンク部材７１、７１の下端部７１ａ、７１ｂは、一方の下端部７１ａがフレーム２３にピン支承され、他方の下端部７１ｂが、駆動部材７２により、一方の下端部７１ａに接近離間する方向に移動可能とされている。駆動部材７２としては、図３に示した油圧シリンダをはじめ、ボールネジ等の各種機構部品を用いることができる。このようなリンク部材７１、７１は、駆動部材７２により、リンク部材７１、７１の他方の下端部７１ｂを一方の下端部７１ａに接近させる方向に移動させると、リンク部材７１、７１が上方に伸び、逆に、駆動部材７２により、リンク部材７１、７１の他方の下端部７１ｂを一方の下端部７１ａから離間させる方向に移動させると、リンク部材７１、７１が下方に縮む。
【００２６】
図５に示すように、リンク部材７１、７１の上端部７１ｃ、７１ｄには、可動仕切４０を構成する昇降パネル４１の下端部に一体に設けられた支持フレーム４２が、ピン７３により回動自在に連結されている。なお、一方のリンク部材７１の上端部７１ｄは、ピン７３が、支持フレーム４２に設けられた長孔４２ａ（図３参照）に沿って水平方向にスライド移動可能となっている。
これにより、昇降機構７０のリンク部材７１、７１が上下方向に伸縮することにより、昇降パネル４１が、ベースユニット２１内の空間に収容された状態と、ベースユニット２１内の空間から上方に突出した状態とに切り替え可能とされている。昇降機構７０によって仕切壁本体２０から突出する可動仕切４０を構成する昇降パネル４１の高さとしては、少なくとも利用者の目線を遮る位置よりも高くなるように設定される必要があり、固定仕切３０を構成する固定パネル３１よりも高い位置であることがより好ましい。
【００２７】
また、前記のベースユニット２１の上端部において、下部パネル２２、２２間に形成された開口部には、前記の昇降パネル４１を出没させるためのスリット６４を有したキャップ部材６５が設けられている。
【００２８】
そして、前記の固定仕切３０を構成する固定パネル３１は、前記キャップ部材６５上において、前記スリット６４の一方の側に設けられている。固定パネル３１は、キャップ部材６５の上面に形成された溝６６に、その下端部を挿入した状態で支持されている。
本実施形態では、固定パネル３１は、仕切壁装置１０（仕切パネルユニット６０）を所定の位置に設置した状態で、昇降パネル４１に対して顧客側空間２００側に配置されている。ただし、これに限るものではなく、固定パネル３１を、昇降パネル４１に対して執務空間１００側に設けても良い。
このような固定パネル３１は、アクリル板等、透光性、あるいは半透光性を有した材料で形成するのが好ましい。
【００２９】
さて、上記したような仕切パネルユニット６０は、図示しないボルト・ナットや、専用金具等により、複数が互いに連結されて仕切壁装置１０を構成する。このとき、昇降機構７０の油圧系統や制御系統についても、仕切パネルユニット６０のベースユニット２１内で直列または並列に連結する。
【００３０】
仕切壁装置１０において、顧客からの依頼を受け付ける受付スペースの部分（欠落部Ｍ）を構成する仕切パネルユニット６０においては、仕切壁装置１０が連続する方向の一部分で固定パネル３１を設けず、固定仕切３０を欠落させる。また、この部分においては、ベースユニット２１の上端部に、受付用天板５０を取り付けておく。
これ以外の部分においては、全て固定仕切３０を構成する固定パネル３１を仕切パネルユニット６０に設けておく。
【００３１】
また、可動仕切４０を構成する昇降パネル４１は、全ての仕切パネルユニット６０に設けておく。
【００３２】
このような仕切壁装置１０においては、通常の営業時間内、全ての昇降パネル４１を降ろしてベースユニット２１内に収納させておき、従業員が業務を行う執務空間１００と、顧客が立ち入る顧客側空間２００とを仕切らない状態とする。
この状態では、各仕切パネルユニット６０のベースユニット２１によって構成される仕切壁本体２０上には、固定パネル３１からなる固定仕切３０が設けられており、しかも顧客からの依頼を受け付ける受付スペースの部分においては、固定仕切３０を欠落させた欠落部Ｍを形成しているため、受付スペースの位置を顧客に明示することができる。
また、固定仕切３０を、アクリル板等、透光性、あるいは半透光性を有した材料で形成することで、実際の仕切壁装置１０の高さは、（仕切壁本体２０＋固定仕切３０）でありながらも、上部の固定仕切３０を透光性あるいは半透光性を有したものとして、体感的な仕切壁装置１０の高さを抑えることができ、顧客や従業員に圧迫感を与えるのを防ぐことができる。
【００３３】
また、通常の営業時間以外には、全ての昇降パネル４１を上昇させることで、従業員が業務を行う執務空間１００と、顧客が立ち入る顧客側空間２００とを完全に仕切ることができる。
【００３４】
上述したような仕切壁装置１０においては、通常の営業時間内における受付カウンターを構成する仕切壁本体２０および固定仕切３０に加え、従業員が業務を行う執務空間１００と、顧客が立ち入る顧客側空間２００とを完全に仕切るための可動仕切４０を備えることで、特に大がかりなシャッター等を設けることなく、低コストかつ短期間で、執務空間１００と顧客側空間２００との区画を行うことができる。
しかも、受付スペースの部分には固定仕切３０を欠落させて欠落部Ｍを形成したので、受付スペースの位置を容易かつ明確に明示することができる。
また、固定パネル３１を、透光性、あるいは半透光性を有した材料で形成することで、仕切壁装置１０の体感的な高さを抑えることができ、顧客や従業員に圧迫感を与えるのを防ぐことができる。
【００３５】
さらに、固定パネル３１は、昇降パネル４１に対して顧客側空間２００側に配置されているため、可動仕切４０が上昇した状態において、執務空間１０を、より広く確保することができる。
【００３６】
加えて、仕切壁装置１０の両端部においては、固定仕切３０に、仕切壁装置１０が位置する面に直交する方向に向けて伸びる側部パネル３２を備える構成とすることで、可動仕切４０の両端部の側面を閉塞することができ、可動仕切４０の側方の体裁を良好に収めることができる。
【００３７】
なお、本発明の仕切壁装置１０は、図面を参照して説明した上述の各実施形態に限定されるものではなく、その技術的範囲において様々な変形例が考えられる。
例えば、仕切パネルユニット６０の連結数はいかなるものとしても良い。また、仕切壁装置１０は、図２に示すように一直線上に配置するものに限らず、Ｌ字状等、いかなる配置としても良い。
なお、仕切パネルユニット６０には、ベースユニット２１と、昇降パネル４１と、昇降機構７０とを少なくとも備えれば良く、固定パネル３１については、仕切パネルユニット６０を連結して設置した後に、現地で取り付けるようにしても良い（図２は、そのような図になっている。）。
また、各仕切パネルユニット６０の昇降パネル４１は、個別に昇降させることのできる構成とすることも可能である。
これ以外にも、本発明の主旨を逸脱しない限り、上記実施の形態で挙げた構成を取捨選択したり、他の構成に適宜変更することが可能である。
【符号の説明】
【００３８】
１０  仕切壁装置
２０  仕切壁本体
２１  ベースユニット
３０  固定仕切
３１  固定パネル
３２  側部パネル
４０  可動仕切
４１  昇降パネル
５０  受付用天板
６０  仕切パネルユニット
７０  昇降機構
７１  リンク部材
７２  駆動部材
７３  ピン
１００  執務空間
２００  顧客側空間
Ｍ  欠落部
【図１】
2010248866.tif 000003
【図２】
2010248866.tif 000004
【図３】
2010248866.tif 000005
【図４】
2010248866.tif 000006
【図５】
2010248866.tif 000007